(57)【要約】      （修正有）【課題】カードＰを用いて、確実かつ簡単に金銭を送金できる振替装置を提供する。【解決手段】管理コンピュータＭの処理部１は、送金希望者側の端末５から入力された金額受取人の住所、氏名、郵便番号から第１の管理番号を自動生成する手段と、カードＰを販売する販売主体側の端末４あるいは上記送金希望者側の端末５から入力されたカードＩＤ、振替金額等の金額情報を上記第１の管理番号に対応づけて記憶部２に記憶させる手段と、受取人側の端末６から上記受取人の住所、氏名、郵便番号及び受取人側金融口座９の口座番号の振替先情報のそれぞれが入力されたとき、第１の管理番号を自動生成する規則と同一の規則のもとで第２の管理番号を自動生成する手段と、この第２の管理番号及び上記第１の管理番号の対応関係とが一致しているかどうかを判定する手段とを備えている。【選択図】図１
0003133029.tif 000002
【実用新案登録請求の範囲】
【請求項１】
金融機関のコンピュータに接続するとともに、この金融機関のコンピュータとの間で送受信機能を備えた管理コンピュータを設けるとともに、この管理コンピュータには処理部と記憶部とを備え、上記処理部は、カードを販売する販売主体側あるいは上記送金希望者側の端末から入力されたカードＩＤ、振替金額等の金額情報を記憶部に記憶させる手段と、送金希望者側の端末から入力された金額受取人の郵便番号、住所の数字を基礎にした数字情報を特定し、かつ、送金希望者側の端末から入力された金額受取人の氏名をローマ字化して複数のアルファベット情報を特定し、これら特定された数字情報およびアルファベット情報を合成して第１の管理番号を自動生成する手段と、この第１の管理番号を、上記カードＩＤ及び振替金額を対応づけて記憶部に記憶させる手段と、受取人側の端末から受取人の郵便番号、住所、氏名及び受取人側の金融口座等からなる振替先情報のそれぞれが入力されたとき、第１の管理番号を自動生成する規則と同一の規則のもとで第２の管理番号を自動生成し、この第２の管理番号と上記振替先情報とを対応づけて記憶部に記憶させる手段と、受取人側の端末からカードＩＤが入力されたとき、そのカードＩＤに対応付けられた第１の管理番号と同一の第２の管理番号とが存在するかどうかを判定する手段と、第１，２の管理番号のそれぞれが一致していると判定したとき、金融機関のコンピュータに対して、第１の管理番号に対応付けられた金額を、第２の管理番号に対応付けられた振替先情報に基づく振替先に振替指示を出す手段とを備えた振替装置。
【請求項２】
カードにカードＩＤ及び管理コンピュータのアドレスを表示した二次元コードを、販売主体側の端末を用いて読み込んで管理コンピュータにアクセスしたとき、上記処理部は、カードＩＤ及び販売主体側の端末ＩＤを自動的に読み取って、それらを対応づけて記憶部に記憶させる手段と、特定の販売主体側の端末ＩＤから、設定時間あるいは設定期間内に入力されたカードＩＤに対応付けられた金額情報の金額を累算し、その累算額が各カードＩＤのトータル金額に一致したとき、それら各カードＩＤを有効と判定する手段とを備えた請求項１記載の振替装置。
【考案の詳細な説明】
【技術分野】
【０００１】
この考案は、管理番号を自動生成して金融口座への振替を確実かつ簡単にした振替装置に関する。
【背景技術】
【０００２】
例えば、メッセージカード等に金額を付帯させるとともに、当該メッセージカードが提示されたとき、上記金額をカード提示者に提供するというシステムは、いろいろ考案されている。これらのシステムは、上記メッセージカード等の不当使用を規制するために、システム上で、当該カードにＩＤや管理番号を対応付け、それらの対応関係によって、不当使用か否かを判定するようにしている。
【特許文献１】特開２００６−３５０６９３号公報
【考案の開示】
【考案が解決しようとする課題】
【０００３】
しかしながら、上記ＩＤや管理番号は、たとえそれを自動生成したとしても、それを管理するのが難しく、実際にはカード等に金額を付帯させた状態でそれをやり取りするのは、かなり難しいというのが現状であった。
この考案の目的は、管理番号等を自動生成するとともに、その管理が簡単な振替装置を提供することである。
【課題を解決するための手段】
【０００４】
第１の考案は、金融機関のコンピュータに接続するとともに、この金融機関のコンピュータとの間で送受信機能を備えた管理コンピュータを設けるとともに、この管理コンピュータには処理部と記憶部とを備え、上記処理部は、カードを販売する販売主体側あるいは上記送金希望者側の端末から入力されたカードＩＤ、振替金額等の金額情報を記憶部に記憶させる手段と、送金希望者側の端末から入力された金額受取人の郵便番号、住所の数字を基礎にした数字情報を特定し、かつ、送金希望者側の端末から入力された金額受取人の氏名をローマ字化して複数のアルファベット情報を特定し、これら特定された数字情報およびアルファベット情報を合成して第１の管理番号を自動生成する手段と、この第１の管理番号を、上記カードＩＤ及び振替金額を対応づけて記憶部に記憶させる手段と、受取人側の端末から受取人の郵便番号、住所、氏名及び受取人側の金融口座等からなる振替先情報のそれぞれが入力されたとき、第１の管理番号を自動生成する規則と同一の規則のもとで第２の管理番号を自動生成し、この第２の管理番号と上記振替先情報とを対応づけて記憶部に記憶させる手段と、受取人側の端末からカードＩＤが入力されたとき、そのカードＩＤに対応付けられた第１の管理番号と同一の第２の管理番号とが存在するかどうかを判定する手段と、第１，２の管理番号のそれぞれが一致していると判定したとき、金融機関のコンピュータに対して、第１の管理番号に対応付けられた金額を、第２の管理番号に対応付けられた振替先情報に基づく振替先に振替指示を出す手段とを備えた点に特徴を有する。
【０００５】
第２の考案は、カードにカードＩＤ及び管理コンピュータのアドレスを表示した二次元コードを、販売主体側の端末を用いて読み込んで管理コンピュータにアクセスしたとき、上記処理部は、カードＩＤ及び販売主体側の端末ＩＤを自動的に読み取って、それらを対応づけて記憶部に記憶させる手段と、特定の販売主体側の端末ＩＤから、設定時間あるいは設定期間内に入力されたカードＩＤに対応付けられた金額情報の金額を累算し、その累算額が各カードＩＤのトータル金額に一致したとき、それら各カードＩＤを有効と判定する手段とを備えた点に特徴を有する。
【考案の効果】
【０００６】
第１及び第２の考案によれば、第１の管理番号と第２の管理番号との対応関係とを対比することによって、当該カードＩＤに対応した金額を振替先に振り替えることができる。
そして、上記第１の管理番号は、送金希望者側の入力情報に基づいて自動生成されて記憶部に記憶され、第２の管理番号は、受取人側の入力情報に基づいて自動生成されるとともに、それはあらかじめ管理コンピュータの記憶部に記憶されているものとなる。このような状況の中では、送金希望者側も受取人側も、それぞれの管理番号を知らないことになる。
【０００７】
もし、第三者が当該カードを不法に入手し、自らの端末でカードＩＤを読み取って管理コンピュータにアクセスしたとしても、振り込み金額はあらかじめ登録している受取人の金融口座に振り込まれるだけで、不正入手した第三者にお金が振り替えられることはない。言い換えると、第三者がカードに付帯した金額を不正入手することはありえない。
第２の考案によれば、販売主体が販売したカードに付帯している金額が、有効に支払われているかどうかを判定できるので、その不正な使用を阻止することもできる。
【考案を実施するための最良の形態】
【０００８】
図示した実施形態は、管理コンピュータＭに処理部１と記憶部２とを備えているが、この管理コンピュータＭの処理部１は、金融機関のコンピュータＣとの間で情報の送受信機能も備えている。また、この実施形態は、例えば郵便はがき等のカードＰを販売する販売主体（以下単に「販売主体」という）からカードＰを購入した送金希望者が、目的の受取人に金銭を送るシステムを想定している。そして、上記カードＰには、図２に示すように、光学的に読み取り可能な二次元コード３があらかじめ印刷されている。
【０００９】
上記二次元コード３には、当該カードＰを特定するためのカードＩＤと、上記管理コンピュータＭにアクセスするためのアドレスとが表示されているが、それらは上記販売主体があらかじめ設定するものである。そして、端末４〜６でこの二次元コード３を光学的に読み取ると、当該端末４〜６は上記管理コンピュータＭに自動的にアクセスできる構成にしている。なお、上記端末４は販売主体側の端末であり、端末５は送金希望者側の端末であり、端末６は受取人側の端末である。
【００１０】
また、決済をする金融機関には、管理コンピュータＭの管理主体である振替代行者側の金融口座７と、販売主体の金融口座８と、受取人の金融口座９とをあらかじめ開設しておくとともに、上記管理コンピュータＭの記憶部２には、上記金融口座７〜９のそれぞれの金融機関名、支店名、口座番号等の情報を記憶させておく。なお、上記振替代行者側金融口座７とは、この実施形態においては、管理コンピュータＭの管理主体が保有する口座を想定しているが、管理主体と振替代行者とが別々であってもかまわない。そして、上記各金融口座の口座番号等の情報を記憶部２に記憶させるのは、管理主体、販売主体及び受取人のそれぞれが、自ら管理コンピュータＭにアクセスしておこなうものである。
【００１１】
次に、管理コンピュータＭの機能とともに、送金希望者から受取人への送金方法を説明する。
まず、販売主体が送金希望者にカードＰを販売したときには、販売主体が自らの端末４に二次元コード３を読み取らせて管理コンピュータＭにアクセスする。上記のようにカードＰの二次元コード３を読みって端末４から管理コンピュータＭにアクセスすると、上記処理部１は当該カードＰのカードＩＤを自動的に読み取るとともに、販売主体の端末ＩＤも自動的に読み取る。
【００１２】
このとき販売主体は、定められた時間内に、送金希望者から受け取った金額をどの販売主体側金融口座からどの振替代行者側金融口座に、振り替えるかといった情報を管理コンピュータＭの処理部１に入力する。
販売主体から金額情報が処理部１に入力されると、処理部１は、設定された時間あるいは期間内に販売された当該カードＰのカードＩＤと、端末４のＩＤと、上記金額情報とを対応づけて、それらを記憶部２に記憶させる。言い換えると、どの販売主体が、どのカードを販売して、それにいくらの金額を付帯させたかの記録が記憶部２に記憶されることになる。
【００１３】
さらに、管理コンピュータＭの処理部１は、あらかじめ設定された時間あるいは期間内に、特定の販売主体が販売したカードＩＤのすべてを記憶部２に記憶させるとともに、その金額を累算し、その累算結果を記憶部２に記憶させる。そして、上記設定時間あるいは設定期間内に、上記累算金額のすべてが入金したという入金情報が処理部１に入力したとき、処理部１は、記憶部２に記憶されている累算金額に対応するカードＩＤ群のすべてを有効と判定する。なお、上記入金情報は、金融機関のコンピュータＣから管理コンピュータＭに送信される情報に基づいたものとなる。
【００１４】
一方、当該カードＰを購入した送金希望者は、自らの端末５を介してカードＰに表示されている二次元コード３を読み取り、管理コンピュータＭにアクセスするとともに、受取人の郵便番号、住所、氏名を入力する。このように受取人の郵便番号、住所、氏名が入力されると、処理部１は、第１の管理番号を自動生成する。すなわち、処理部１は、住所に含まれる数字及び郵便番号の数字を基にして数字情報を生成する。また、処理部１は、入力された氏名をローマ字変換するとともに、そのローマ字からアルファベット情報を生成し、このアルファベット情報と上記数字情報を合成して第１の管理番号を自動生成する。
【００１５】  なお、上記数字情報及びアルファベット情報の自動生成に関しては、あらかじめ規則性を持たせておく。数字情報の場合には、例えば、住所の最初に出てくる数字と郵便番号のすべてを組み合わせ、アルファベット情報の場合には、氏名の最初と最後のアルファベット２文字を用いるというように、あらかじめ規則を定めておき、処理部１がその規則にのっとって管理番号を自動的に生成するようにしている。例えば、受取人の住所が（公序良俗違反につき、不掲載）、郵便番号が「１０７−００６２」で、氏名が（公序良俗違反につき、不掲載）であったとすると、処理部１は、まず住所の最初の番号数字である「１」を特定する。次に、処理部１は郵便番号「１０７−００６２」の数字と、住所の中の上記「１」とから、「１１０７００６２」の数字情報を自動生成する。また、（公序良俗違反につき、不掲載）を（公序良俗違反につき、不掲載）とローマ字変換するとともに、氏名の最初と最後の文字から「ＳＡ」というアルファベット情報を自動生成する。  上記のようにして数字情報「１１０７００６２」とアルファベット情報「ＳＡ」を生成したら、今度はそれらを合成して「１１０７００６２ＳＡ」と言う第１の管理番号を自動的に生成する。なお、この第１の管理番号を自動生成する規則は、どのようなものであってもよいが、後で説明する第２の管理番号を自動生成する規則と同じであることが必要である。【００１６】
処理部１は、上記のように第１の管理番号を自動生成したら、この管理番号をカードＩＤに対応づけて記憶部２に記憶させる。したがって、この段階では、図３に示すように、当該カードＩＤには、販売主体の端末ＩＤ、金額情報及び第１の管理番号が対応づけられて記憶部２に記憶されることになる。
【００１７】
一方、当該カードＰを受け取るべき受取人は、管理コンピュータＭに独自にアクセスして、受取人の郵便番号、住所、氏名及び振替先情報をあらかじめ登録しておく。なお、この実施形態の振替先情報とは、受取人の金融口座がある金融機関名、支店名及び口座番号等々で、受取人の金融口座にお金を振り替えるのに必要な情報のすべてである。そして、受取人が管理コンピュータＭに郵便番号、住所、氏名を入力すると、上記処理部１は、これら郵便番号、住所、氏名に基づいて、上記第１の管理番号の自動生成規則と同じ規則にしたがって第２の管理番号を自動生成する。したがって、同一の郵便番号、住所、氏名が入力されれば、第１の管理番号と第２の管理番号とが常に一致することになる。このようにして自動生成された第１，２管理番号のそれぞれは、送金希望者及び受取人のいずれにも知らされないものである。
【００１８】
そして、受取人がカードＰを受け取って当該金額を自らの金融口座に振り替えるときには、次のようにする。まず、受取人は受け取ったカードＰのカードＩＤを自らの端末６をもちいて読み取り、管理コンピュータＭにアクセスする。管理コンピュータＭの処理部１は、受取人がアクセスしてきたカードＩＤを読み取り、それと同一のカードＩＤを記憶部２に記憶されているものの中から検索する。記憶部２に当該カードＩＤと同一のＩＤがあれば、図３に示すように、当該カードＩＤに対応付けられた第１の管理番号を特定することができる。
【００１９】
また、上記のようにカードＩＤが特定されれば、処理部１は、販売主体の端末ＩＤから、当該カードＰをどの販売主体が販売したかを特定することができる。処理部１が当該カードＰを販売した販売主体を特定できたら、そのカードＩＤの有効性を判定する。カードＩＤの有効性は、前記したように販売主体側金融口座８から振替代行者側金融口座７に振り替えられた結果としての有効性を保っているかどうかを判定する。すなわち、設定時間あるいは設定期間内に、当該販売主体が、振替代行者側金融口座７に累算金額のすべてを入金しているカードＩＤ群に入っているかどうかで、その有効性が判定される。
【００２０】
第１の管理番号を特定でき、しかも当該カードＰの有効性が認められたら、処理部１は、この第１の管理番号と同一の第２の管理番号が、記憶部２にあらかじめ記憶されているかどうかを検索する。第１の管理番号と第２の管理番号とが一致したときには、図４に示すように、第２の管理番号には振替先情報が対応付けられているので、処理部１は、金融機関のコンピュータＣに対して、管理主体の金融口座である振替代行者側金融口座７から、受取人側金融口座９への金額の振替を指示する。この実施形態では、図３に示すように、５０００円の振替指示が出されることになる。
【００２１】
なお、上記カードＰが盗まれたりしてそれが不正使用されても、カードＰに付帯された金額は、受取人側金融口座９に振り替えられるだけなので、あらかじめ口座番号を設定した受取人側金融口座に確実に入金することになる。つまり、このカードＰを用いた不正使用そのものがありえないということになる。
ただし、当該カードＰの不正使用を厳重に管理しようとすれば、例えば、処理部１に送金人側の承諾信号が入力されることを条件に、振替を実行するようにしてもよい。
【００２２】
そして、上記の実施形態では、管理主体と販売主体とが別々で、しかも、振替代行者側金融口座７と販売主体側金融口座８とが別々になっているので、最終的には、管理主体と販売主体との間で、当該カードＰに付帯された金額の決済が必要になる。ただし、その決済は、どのような形態をとってもよいので、特に、限定されるものではない。
【００２３】
また、管理主体と販売主体とが同じ場合には、上記のように特別な決済を必要としないが、それ以外は、先に説明した実施形態とまったく同じである。さらに、金融機関が管理主体と販売主体とをかねる場合も想定できるが、この場合にも、管理コンピュータＭの機能は、先の実施形態と同じである。
【図面の簡単な説明】
【００２４】
【図１】システムズである。
【図２】カードの平面図である。
【図３】記憶部で記憶する対応付けのテーブルである。
【図４】記憶部で記憶する対応付けのテーブルである。
【符号の説明】
【００２５】
Ｍ      管理コンピュータ
１      処理部
２      記憶部
Ｃ      金融機関のコンピュータ
Ｐ      カード
４〜６  端末
７      振替代行者側金融口座
８      販売主体側金融口座
９      受取側金融口座
【図１】
0003133029.tif 000003
【図２】
0003133029.tif 000004
【図３】
0003133029.tif 000005
【図４】
0003133029.tif 000006